(57)【要約】【課題】携帯端末等の端末装置とプリンタ等の印刷装置による印刷システムとして、印刷時の操作者の操作負担を軽減した印刷システムを提案すること。【解決手段】端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システムの構成要素となる端末装置であって、前記印刷要求データを生成する印刷要求生成手段と、前記印刷要求データを前記記憶媒体に書き込む印刷要求書込手段と、前記記憶媒体の書き込みを監視する監視手段と、当該端末装置の画面表示を行う表示手段とを備え、前記印刷要求データの読み込みが完了した旨の書き込みを前記監視手段が検出したときには、前記印刷要求データの読み込みが完了した旨の画面表示を前記表示手段が行う事を特徴とする端末装置。【選択図】  図１
2006318220.tif 000002
【特許請求の範囲】
【請求項１】
端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システム、の構成要素となる端末装置であって、
前記印刷要求データを生成する印刷要求生成手段と、
前記印刷要求データを前記記憶媒体に書き込む印刷要求書込手段と、
前記記憶媒体の書き込みを監視する監視手段と、
当該端末装置の画面表示を行う表示手段とを備え、
前記印刷要求データの読み込みが完了した旨の書き込みを前記監視手段が検出したときには、前記印刷要求データの読み込みが完了した旨の画面表示を前記表示手段が行う事を特徴とする端末装置。
【請求項２】
前記印刷要求生成手段は、当該端末装置の外部から取得した情報を元に、前記印刷要求データを生成する事を特徴とする請求項１に記載の端末装置。
【請求項３】
前記印刷要求生成手段は、当該端末装置の外部から取得した情報を元に、前記印刷要求データを一部の情報を補足して生成する事を特徴とする請求項２に記載の端末装置。
【請求項４】
前記印刷要求生成手段は、当該端末装置の外部から取得した情報と当該端末装置の内部に保存されている情報とを元に、前記印刷要求データを生成する事を特徴とする請求項３に記載の端末装置。
【請求項５】
前記印刷要求書込手段は、前記印刷要求データが前記記憶媒体に入らない大きさである場合、前記印刷要求データを前記記憶媒体に入る大きさに分割してこれらを前記記憶媒体に書き込む事を特徴とする請求項１乃至４のいずれか１項に記載の端末装置。
【請求項６】
端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システム、の構成要素となる端末装置によって実行される情報処理方法であって、
前記印刷要求データを生成する印刷要求生成段階と、
前記印刷要求データを前記記憶媒体に書き込む印刷要求書込段階と、
前記記憶媒体の書き込みを監視する監視段階と、
当該端末装置の画面表示を行う表示段階とを備え、
前記印刷要求データの読み込みが完了した旨の書き込みを前記監視段階で検出したときには、前記印刷要求データの読み込みが完了した旨の画面表示を前記表示段階で行う事を特徴とする情報処理方法。
【請求項７】
端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システム、の構成要素となる印刷装置であって、
前記記憶媒体から情報を読み込む情報読込手段と、
前記記憶媒体に情報を書き込む情報書込手段と、
前記印刷要求データに従って印刷を実行する印刷手段とを備え、
前記情報読込手段が前記記憶媒体から前記印刷要求データを読み込んだときには、前記情報書込手段が前記記憶媒体に前記印刷要求データの読み込みが完了した旨を書き込む事を特徴とする印刷装置。
【請求項８】
前記情報読込手段は、前記記憶媒体から読み込んだ情報が前記印刷要求データの一部である場合、前記記憶媒体から前記印刷要求データの各部を読み込んでこれらを連結する事を特徴とする請求項７に記載の印刷装置。
【請求項９】
端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システム、の構成要素となる印刷装置によって実行される情報処理方法であって、
前記記憶媒体から情報を読み込む情報読込段階と、
前記記憶媒体に情報を書き込む情報書込段階と、
前記印刷要求データに従って印刷を実行する印刷段階とを備え、
前記情報読込段階で前記記憶媒体から前記印刷要求データを読み込んだときには、前記情報書込段階で前記記憶媒体に前記印刷要求データの読み込みが完了した旨を書き込む事を特徴とする情報処理方法。
【請求項１０】
請求項１乃至５のいずれか１項に記載の端末装置と請求項７又は８に記載の印刷装置とを備える事を特徴とする印刷システム。
【請求項１１】
請求項６又は９記載の情報処理方法をコンピュータに実行させる情報処理プログラム。
【請求項１２】
請求項６又は９記載の情報処理方法をコンピュータに実行させる情報処理プログラムが記録されたコンピュータ読取可能な記録媒体。
【発明の詳細な説明】
【技術分野】
【０００１】
本発明は、携帯電話端末／携帯情報端末／ＰＣ端末等の端末装置、プリンタ／複写機／複合機等の印刷装置、印刷システム、情報処理方法、情報処理プログラム、ＣＤ−ＲＯＭ等の記録媒体に関する。
【背景技術】
【０００２】
下記の特許文献には、携帯端末で画面表示されている文書をプリンタで印刷するような印刷システムが開示されている。
【０００３】
特許文献１には、携帯端末で閲覧しているコンテンツサーバの文書について印刷要求を発行すると、当該携帯端末に予約番号が提供され、当該予約番号をオペレーションパネルでプリンタに入力すると、当該プリンタで上記の文書が印刷されるような印刷システムが開示されている。
【０００４】
特許文献２には、携帯端末で閲覧しているコンテンツサーバの文書について印刷要求を発行すると、当該携帯端末に予約番号が提供され、当該予約番号をブルートゥース（登録商標）でプリンタに送信すると、当該プリンタで上記の文書が印刷されるような印刷システムが開示されている。
【０００５】
特許文献３には、携帯端末で画像サーバの画像データを選ぶと、当該携帯端末に２次元コードが提供され、当該２次元コードをプリンタに読み込ませると、当該プリンタで上記の画像データが印刷されるような印刷システムが開示されている。
【特許文献１】特開２００２−１４９５４９号公報
【特許文献２】特開２００４−１５７９９２号公報
【特許文献３】特開２００４−２４２１６４号公報
【発明の開示】
【発明が解決しようとする課題】
【０００６】
上記の特許文献に記載の方式には、操作が煩雑であるという欠点がある。特許文献１に記載の方式では、携帯端末で印刷操作を行いプリンタで予約番号の入力操作を行うという二度手間があり、操作が煩雑である。特許文献２に記載の方式では、印刷操作後にブルートゥース（登録商標）による予約番号の送信手順を踏む必要があり、操作が煩雑である。特許文献３に記載の方式では、携帯端末で選択操作を行いプリンタで２次元コードの読込操作を行うという二度手間があり、操作が煩雑である。
【０００７】
本発明は、携帯端末等の端末装置とプリンタ等の印刷装置による印刷システムとして、印刷時の操作者の操作負担を軽減した印刷システムを提案することを課題とする。
【課題を解決するための手段】
【０００８】
本発明（端末装置）は、端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システム、の構成要素となる端末装置であって、前記印刷要求データを生成する印刷要求生成手段と、前記印刷要求データを前記記憶媒体に書き込む印刷要求書込手段と、前記記憶媒体の書き込みを監視する監視手段と、当該端末装置の画面表示を行う表示手段とを備え、前記印刷要求データの読み込みが完了した旨の書き込みを前記監視手段が検出したときには、前記印刷要求データの読み込みが完了した旨の画面表示を前記表示手段が行う事を特徴とする端末装置に係る。
【０００９】
本発明（情報処理方法）は、端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システムの構成要素となる端末装置により実行される情報処理方法であって、前記印刷要求データを生成する印刷要求生成段階と、前記印刷要求データを前記記憶媒体に書き込む印刷要求書込段階と、前記記憶媒体の書き込みを監視する監視段階と、当該端末装置の画面表示を行う表示段階とを備え、前記印刷要求データの読み込みが完了した旨の書き込みを前記監視段階で検出したときには、前記印刷要求データの読み込みが完了した旨の画面表示を前記表示段階で行う事を特徴とする情報処理方法に係る。
【００１０】
本発明（印刷装置）は、端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システム、の構成要素となる印刷装置であって、前記記憶媒体から情報を読み込む情報読込手段と、前記記憶媒体に情報を書き込む情報書込手段と、前記印刷要求データに従って印刷を実行する印刷手段とを備え、前記情報読込手段が前記記憶媒体から前記印刷要求データを読み込んだときには、前記情報書込手段が前記記憶媒体に前記印刷要求データの読み込みが完了した旨を書き込む事を特徴とする印刷装置に係る。
【００１１】
本発明（情報処理方法）は、端末装置が印刷要求データを生成して、前記端末装置が前記印刷要求データを記憶媒体に書き込み、印刷装置が前記印刷要求データを前記記憶媒体から読み込み、前記印刷装置が前記印刷要求データに従って印刷を実行する印刷システムの構成要素となる印刷装置により実行される情報処理方法であって、前記記憶媒体から情報を読み込む情報読込段階と、前記記憶媒体に情報を書き込む情報書込段階と、前記印刷要求データに従って印刷を実行する印刷段階とを備え、前記情報読込段階で前記記憶媒体から前記印刷要求データを読み込んだときには、前記情報書込段階で前記記憶媒体に前記印刷要求データの読み込みが完了した旨を書き込む事を特徴とする情報処理方法に係る。
【００１２】
本発明は、上記の端末装置と上記の印刷装置とを備える事を特徴とする印刷システムに係る。本発明は、上記の情報処理方法をコンピュータに実行させる情報処理プログラムに係る。本発明は、上記の情報処理方法をコンピュータに実行させる情報処理プログラムが記録されたコンピュータ読取可能な記録媒体に係る。
【発明の効果】
【００１３】
本発明は、携帯端末等の端末装置とプリンタ等の印刷装置による印刷システムとして、印刷時の操作者の操作負担を軽減した印刷システムを提案するものである。
【発明を実施するための最良の形態】
【００１４】
（第１実施例）
図１は、第１実施例に係る印刷システム１０１を表す。図１の印刷システム１０１は、携帯電話端末１１１とプリンタ１１２とＷｅｂサーバ１１３により構成されている。図１の印刷システム１０１では、携帯電話端末１１１は無線によりネットワーク１２１に接続されており、プリンタ１１２は有線によりネットワーク１２１に接続されており、Ｗｅｂサーバ１１３は有線によりネットワーク１２１に接続されている。
【００１５】
携帯電話端末１１１には、ＲＦＩＤチップ１３１が装備されている。従って、携帯電話端末１１１は、ＲＦＩＤチップ１３１に情報を書き込んだり、ＲＦＩＤチップ１３１から情報を読み込んだりする事ができる。プリンタ１１２には、ＲＦＩＤリーダライタ１３２が装備されている。従って、プリンタ１１２は、携帯電話端末１１１が近距離に存在する場合には、ＲＦＩＤチップ１３１に情報を書き込んだり、ＲＦＩＤチップ１３１から情報を読み込んだりする事ができる。ＲＦＩＤチップ１３１は、ＲＦＩＤタグとして携帯電話端末１１１に内蔵されているものでもよいし、ＲＦＩＤカードとして携帯電話端末１１１に挿入されているものでもよい。ＲＦＩＤはＲａｄｉｏ  Ｆｒｅｑｕｅｎｃｙ  Ｉｄｅｎｔｉｆｉｃａｔｉｏｎの略語である。
【００１６】
Ｗｅｂサーバ１１３には、印刷対象となる文書が存在する。印刷対象となる文書の所在はここでは、ＵＲＬ（Ｕｎｉｆｏｒｍ  Ｒｅｓｏｕｒｃｅ  Ｌｏｃａｔｏｒ）により規定されている。図１の印刷システム１０１では、携帯電話端末１１１が当該文書の印刷要求データを生成して、携帯電話端末１１１が当該印刷要求データをＲＦＩＤチップ１３１に書き込み、プリンタ１１２が当該印刷要求データをＲＦＩＤチップ１３１から読み込み、プリンタ１１２が当該印刷要求データに従って当該文書の印刷を実行する事になる。
【００１７】
携帯電話端末１１１のＲＯＭには、図１のように、オペレーティングシステム１４１や印刷要求用のアプリケーション１４２が実装されている。プリンタ１１２のＲＯＭには、図１のように、オペレーティングシステム１４３や印刷処理用のアプリケーション１４４が実装されている。Ｗｅｂサーバ１１３のＲＯＭやＨＤＤには、図１のように、オペレーティングシステム１４５やＷｅｂサーバ用のアプリケーション１４６が実装されている。図１の印刷システム１０１の印刷処理は、これらのアプリケーションにより実行される事になる。
【００１８】
図２は、第１実施例に係る印刷システム１０１で実行される印刷処理のシーケンス図である。
【００１９】
先ず、携帯電話端末１１１の表示画面に、Ｗｅｂサーバ１１３の文書を選択するための文書選択画面（図３）が画面表示される。印刷対象となる文書が文書選択画面で選択（Ｓ１１）されると、携帯電話端末１１１のアプリケーション１４２が起動されて、該文書のＵＲＬが携帯電話端末１１１のアプリケーション１４２に提供される。該文書のＵＲＬはここでは、ＮＴＴドコモ株式会社のｉアプリ（登録商標）のブラウザ起動時のパラメータ提供方法に準じて、＜ｏｂｊｅｃｔ＞タグの子要素である＜ｐａｒａｍｅｔｅｒ＞タグの記述内容（図４）として提供される。
【００２０】
次に、携帯電話端末１１１のアプリケーション１４２は、該文書の印刷を要求するための印刷要求データを生成（Ｓ２１）し、該印刷要求データをＲＦＩＤチップ１３１に書き込み（Ｓ２２）、ＲＦＩＤチップ１３１の書き込みを監視（Ｓ２３）する。印刷要求データには、印刷対象の文書が包含されるようにしてもよいし、印刷対象の文書のＵＲＬが包含されるようにしてもよい。ＲＦＩＤチップ１３１の書き込みの監視はここでは、ＲＦＩＤチップ１３１の読み込みを一定時間毎（例えば５秒毎）に繰り返す事により実施される。
【００２１】
そして、プリンタ１１２では、ＲＦＩＤリーダライタ１３２がＲＦＩＤチップ１３１を待ち受けている（Ｓ３１）。操作者が携帯電話端末１１１をプリンタ１１２に近付ける（Ｓ１２）と、ＲＦＩＤリーダライタ１３２がＲＦＩＤチップ１３１が近付いた事を検出（Ｓ３２）し、ＲＦＩＤリーダライタ１３２がＲＦＩＤチップ１３１から情報を読み込む（Ｓ３３）。ＲＦＩＤリーダライタ１３２は、ＲＦＩＤチップ１３１から印刷要求データを読み込んだときには、ＲＦＩＤチップ１３１に当該印刷要求データの読み込みが完了した旨を書き込む（Ｓ３４）。プリンタ１１２は、上記の印刷要求データに従って上記の文書の印刷を実行（Ｓ３５）する。なお、プリンタ１１２の印刷制御は、プリントサーバに依存するようにしてもよい。このとき、プリンタ１１２で使用されるプリントサーバのＵＲＬは、プリンタ１１３の外部機器から取得される事にしてもよいし、プリンタ１１３の機器内部に保存されている事にしてもよい。
【００２２】
そして、携帯電話端末１１１のアプリケーション１４２は、印刷要求データの読み込みが完了した旨の書き込みをＲＦＩＤチップ１３１から検出（Ｓ２４）したときには、当該印刷要求データの読み込みが完了した旨のメッセージの「印刷要求を受け付けました」の画面表示（図５）を行う（Ｓ２５）。
【００２３】
なお、操作者は、印刷対象となる文書を選択（Ｓ１１）してから携帯電話端末１１１をプリンタ１１２に近付ける（Ｓ１２）までの間、該文書の印刷条件の設定画面（図６）を利用する事ができる。該文書の印刷条件が設定画面で設定されると、携帯電話端末１１１のアプリケーション１４２が、該文書の印刷要求データを変更（Ｓ２１）し、該印刷要求データをＲＦＩＤチップ１３１に書き込み直し（Ｓ２２）、携帯電話端末１１１をプリンタ１１２に近付ける旨のメッセージの画面表示（図７）を行う。
【００２４】
第１実施例では、携帯電話端末１１１とプリンタ１１２との間での印刷要求データ等の情報の授受をＲＦＩＤチップ１３１とＲＦＩＤリーダライタ１３２とを利用して実現する事で、印刷時の操作者の操作負担を軽減している。第１実施例では、携帯電話端末１１１とプリンタ１１２とを近付ける事で、携帯電話端末１１１とプリンタ１１２との間で印刷要求データ等の情報が授受される。
【００２５】
第１実施例では、プリンタ１１２は、ＲＦＩＤチップ１３１から印刷要求データを読み込んだときには、ＲＦＩＤチップ１３１に当該印刷要求データの読み込みが完了した旨を書き込み、携帯電話端末１１１は、印刷要求データの読み込みが完了した旨の書き込みをＲＦＩＤチップ１３１から検出したときには、当該印刷要求データの読み込みが完了した旨のメッセージの画面表示を行う。これにより、操作者は印刷完了時（Ｓ３５）まで携帯電話端末１１１とプリンタ１１２とを近付けて置く必要がなくなる。すなわち、操作者は画面表示時（Ｓ２５）まで携帯電話端末１１１とプリンタ１１２とを近付けて置けば十分なのである。これにより、印刷時の操作者の操作負担が更に軽減される。
【００２６】
なお、第１実施例では、ＲＦＩＤチップ１３１とＲＦＩＤリーダライタ１３２とを採用する代わりに、ＲＦＩＤチップ１３１以外の記憶媒体とＲＦＩＤリーダライタ１３２以外の読込書込装置とを採用する事もできる。例えば、フラッシュメモリとフラッシュメモリリーダライタとを採用してもよい。
【００２７】
以下、印刷要求データの生成方法（Ｓ２１）について説明する。
【００２８】
携帯電話端末１１１のアプリケーション１４２は、当該携帯電話端末１１１の外部機器から取得した情報を元に、印刷要求データを生成する。例えば、Ｗｅｂサーバ１１３から印刷対象の文書を取得して、当該文書を元に印刷要求データを生成する。例えば、Ｗｅｂサーバ１１３から印刷対象の文書の所在を特定するための情報（印刷対象の文書のＵＲＬやファイル名やファイルパス名など）を取得して、当該情報を元に印刷要求データを生成する。前者の場合には、印刷対象の文書は印刷要求データとして携帯電話端末１１１からプリンタ１１２に提供される事になる。後者の場合には、印刷対象の文書はＷｅｂサーバ１１３からプリンタ１１２に提供される事になる。
【００２９】
更に、携帯電話端末１１１のアプリケーション１４２は、専ら当該携帯電話端末１１１の外部機器から取得した情報を元に、印刷要求データを生成してもよいし、当該携帯電話端末１１１の外部機器から取得した情報を元に、印刷要求データを一部の情報を補足して生成してもよい。前者の場合には、携帯電話端末側では情報を用意する必要がなくなる。後者の場合には、Ｗｅｂサーバ側で用意する必要のない情報については携帯電話端末側で用意するようにする事ができる。
【００３０】
上記の補足情報の第１具体例として、当該携帯電話端末１１１の表示画面で入力される情報（認証画面で入力される認証情報、印刷条件の設定画面で入力される印刷条件の設定情報など）が挙げられる。上記の補足情報の第２具体例として、当該携帯電話端末１１１の機器内部に保存されている情報（デフォルトの認証情報、デフォルトの印刷条件の設定情報など）が挙げられる。第１具体例では、印刷要求データに包含させる情報を指定する自由を操作者に提供する事ができる。第２具体例では、印刷要求データに包含させる情報を指定する手間から操作者を解放する事ができる。
【００３１】
以下、図１の印刷システム１０１について機能ブロックの観点から説明する。
【００３２】
図８は、携帯電話端末１１１に係る機能ブロック図である。携帯電話端末１１１には、印刷要求生成部２０１と、印刷要求書込部２０２と、監視部２０３と、表示部２０４などの機能ブロックが存在する。
【００３３】
印刷要求生成部２０１は、印刷対象の文書の印刷要求データを生成する機能ブロックであり、Ｓ２１の処理の実行主体である。印刷要求書込部２０２は、印刷対象の文書の印刷要求データをＲＦＩＤチップ１３１に書き込む機能ブロックであり、Ｓ２２の処理の実行主体である。監視部２０３は、ＲＦＩＤチップ１３１の書き込みを監視する機能ブロックであり、Ｓ２３やＳ２４の処理の実行主体である。表示部２０４は、携帯電話端末１１１の画面表示を行う機能ブロックであり、Ｓ２５の処理の実行主体である。
【００３４】
図９は、プリンタ１１２に係る機能ブロック図である。プリンタ１１２には、情報読込部３０１と、情報書込部３０２と、解析部３０３と、印刷部３０４などの機能ブロックが存在する。
【００３５】
情報読込部３０１は、ＲＦＩＤチップ１３１から情報を読み込む機能ブロックであり、Ｓ３１やＳ３２やＳ３３の処理の実行主体である。情報書込部３０２は、ＲＦＩＤチップ１３１に情報を書き込む機能ブロックであり、Ｓ３４の処理の実行主体である。解析部３０３は、印刷要求データの解析を実行する機能ブロックであり、Ｓ３５の処理の実行主体である。印刷部３０４は、印刷要求データの解析結果に従って文書の印刷を実行する機能ブロックであり、Ｓ３５の処理の実行主体である。
（第２実施例）
図１０は、第２実施例に係る印刷システム１０１を表す。図１０の印刷システム１０１は、携帯電話端末１１１とプリンタ１１２とＷｅｂサーバ１１３により構成されている。図１０の印刷システム１０１では、携帯電話端末１１１は無線によりネットワーク１２１に接続されており、プリンタ１１２は有線によりネットワーク１２１に接続されており、Ｗｅｂサーバ１１３は有線によりネットワーク１２１に接続されている。
【００３６】
第２実施例は、第１実施例の変形実施例に相当する。第１実施例での説明内容は、第２実施例にも当て嵌まる。以下、第１実施例と第２実施例との相違点について説明する事にする。
【００３７】
第２実施例では、携帯電話端末１１１（印刷要求書込部２０２）は、印刷要求データがＲＦＩＤチップ１３１に入らない大きさである場合には、当該印刷要求データをＲＦＩＤチップ１３１に入る大きさに分割してこれらをＲＦＩＤチップ１３１に書き込む。
【００３８】
第２実施例では、プリンタ１１２（情報読込部３０１）は、ＲＦＩＤチップ１３１から読み込んだ情報が印刷要求データの一部である場合には、ＲＦＩＤチップ１３１から当該印刷要求データの各部を読み込んでこれらを連結する。
【００３９】
上記の内容を図１１に基づいて解説する。図１１は、ＲＦＩＤチップ１３１の利用方法について解説するための図である。ＲＦＩＤチップ１３１の６４バイトの記憶領域はここでは、前方部の４バイトがデータ制御用の記憶領域であり、後方部の６０バイトが実際のデータ格納用の記憶領域である。従って、印刷要求データのデータ量が６０バイトを超過する場合には、上記の分割処理や上記の連結処理が実施される。例えば、印刷要求データのデータ量が１５０バイトである場合には、書込時には１５０バイトの印刷要求データが６０バイト，６０バイト，３０バイトのデータ（分割データ）に分割されて、読込時には６０バイト，６０バイト，３０バイトのデータ（分割データ）が１５０バイトの印刷要求データに連結される。
【００４０】
データ制御用の４バイトの構成は次の通りである。１バイト目は、当該印刷要求データの分割数を表す。２バイト目は、当該分割データの順番を表す。３バイト目は、当該分割データのデータ量を表す。４バイト目は、読み書き制御用のフラグである。
【００４１】
図１２は、携帯電話端末１１１による分割処理に係るフロー図である。図１２のフローは、図２のシーケンスのＳ２２の処理等に相当する。以下の文中、ステップ番号が２００番台の処理については、図１２を参照されたい。
【００４２】
図１３は、プリンタ１１２による連結処理に係るフロー図である。図１３のフローは、図２のシーケンスのＳ３３の処理等に相当する。以下の文中、ステップ番号が３００番台の処理については、図１３を参照されたい。
【００４３】
先ず、携帯電話端末１１１は、１５０バイトの印刷要求データを生成し、１５０バイトの印刷要求データを６０バイト，６０バイト，３０バイトの分割データに分割する。
【００４４】
次に、携帯電話端末１１１は、データ制御用の４バイトを「０」に初期化（Ｓ２０１）し、１番目の分割データの書き込み処理を開始する。
【００４５】
１番目の分割データの書き込み処理では先ず、携帯電話端末１１１は、データ制御用の１バイト目に、印刷要求データの分割数の「３」を書き込む（Ｓ２１１）。次に、携帯電話端末１１１は、データ制御用の２バイト目に、１番目の分割データの順番の「１」を書き込む（Ｓ２１２）。次に、携帯電話端末１１１は、データ制御用の３バイト目に、１番目の分割データのデータ量の「６０」を書き込む（Ｓ２１３）。次に、携帯電話端末１１１は、実際のデータ格納用の６０バイトに、１番目の分割データを書き込む（Ｓ２１４）。次に、携帯電話端末１１１は、データ制御用の４バイト目に、１番目の分割データの書き込みが完了した旨のフラグの「１」を書き込む（Ｓ２１５）。
【００４６】
プリンタ１１２は、データ制御用の４バイト目が「１」になるのを監視する。プリンタ１１２は、データ制御用の４バイト目が「１」でない（Ｓ３１１）ならば、そのまま一定時間（例えば０．１秒）待ち（Ｓ３１２）、データ制御用の４バイト目が「１」である（Ｓ３１１）ならば、すべての書き込みを読み込む（Ｓ３１３）。そして、プリンタ１１２は、１番目の分割データを一時保存（Ｓ３１４）して、データ制御用の４バイト目に、１番目の分割データの読み込みが完了した旨のフラグの「２」を書き込む（Ｓ３１５）。
【００４７】
携帯電話端末１１２は、データ制御用の４バイト目が「２」になるのを監視する。携帯電話端末１１２は、データ制御用の４バイト目が「２」でない（Ｓ２２１）ならば、そのまま一定時間（例えば０．１秒）待ち（Ｓ２２２）、データ制御用の４バイト目が「２」である（Ｓ２２１）ならば、２番目の分割データの書き込み処理を開始する。
【００４８】
２番目の分割データの書き込み処理では先ず、携帯電話端末１１１は、データ制御用の１バイト目に、印刷要求データの分割数の「３」を書き込む（Ｓ２１１）。次に、携帯電話端末１１１は、データ制御用の２バイト目に、２番目の分割データの順番の「２」を書き込む（Ｓ２１２）。次に、携帯電話端末１１１は、データ制御用の３バイト目に、２番目の分割データのデータ量の「６０」を書き込む（Ｓ２１３）。次に、携帯電話端末１１１は、実際のデータ格納用の６０バイトに、２番目の分割データを書き込む（Ｓ２１４）。次に、携帯電話端末１１１は、データ制御用の４バイト目に、２番目の分割データの書き込みが完了した旨のフラグの「１」を書き込む（Ｓ２１５）。
【００４９】
プリンタ１１２は、データ制御用の４バイト目が「１」になるのを監視する。プリンタ１１２は、データ制御用の４バイト目が「１」でない（Ｓ３１１）ならば、そのまま一定時間（例えば０．１秒）待ち（Ｓ３１２）、データ制御用の４バイト目が「１」である（Ｓ３１１）ならば、すべての書き込みを読み込む（Ｓ３１３）。そして、プリンタ１１２は、２番目の分割データを１番目の分割データに連結して一時保存（Ｓ３１４）して、データ制御用の４バイト目に、２番目の分割データの読み込みが完了した旨のフラグの「２」を書き込む（Ｓ３１５）。
【００５０】
携帯電話端末１１２は、データ制御用の４バイト目が「２」になるのを監視する。携帯電話端末１１２は、データ制御用の４バイト目が「２」でない（Ｓ２２１）ならば、そのまま一定時間（例えば０．１秒）待ち（Ｓ２２２）、データ制御用の４バイト目が「２」である（Ｓ２２１）ならば、３番目の分割データの書き込み処理を開始する。
【００５１】
３番目の分割データの書き込み処理では先ず、携帯電話端末１１１は、データ制御用の１バイト目に、印刷要求データの分割数の「３」を書き込む（Ｓ２１１）。次に、携帯電話端末１１１は、データ制御用の２バイト目に、３番目の分割データの順番の「３」を書き込む（Ｓ２１２）。次に、携帯電話端末１１１は、データ制御用の３バイト目に、３番目の分割データのデータ量の「３０」を書き込む（Ｓ２１３）。次に、携帯電話端末１１１は、実際のデータ格納用の６０バイトに、３番目の分割データを書き込む（Ｓ２１４）。次に、携帯電話端末１１１は、データ制御用の４バイト目に、３番目の分割データの書き込みが完了した旨のフラグの「１」を書き込む（Ｓ２１５）。
【００５２】
プリンタ１１２は、データ制御用の４バイト目が「１」になるのを監視する。プリンタ１１２は、データ制御用の４バイト目が「１」でない（Ｓ３１１）ならば、そのまま一定時間（例えば０．１秒）待ち（Ｓ３１２）、データ制御用の４バイト目が「１」である（Ｓ３１１）ならば、すべての書き込みを読み込む（Ｓ３１３）。そして、プリンタ１１２は、３番目の分割データを１番目と２番目の分割データの連結データに連結して一時保存（Ｓ３１４）して、データ制御用の４バイト目に、３番目の分割データの読み込みが完了した旨のフラグの「２」を書き込む（Ｓ３１５）。
【００５３】
そして、プリンタ１１２は、データ制御用の１バイト目と２バイト目とが等しい事で、すべての分割データの読み込みが完了した事を認識（Ｓ３２１）する。そして、プリンタ１１２は、印刷要求データの解析を実行して、印刷要求データの解析結果に従って文書の印刷を実行する。
【００５４】
携帯電話端末１１２は、データ制御用の４バイト目が「２」になるのを監視する。携帯電話端末１１２は、データ制御用の４バイト目が「２」でない（Ｓ２２１）ならば、そのまま一定時間（例えば０．１秒）待ち（Ｓ２２２）、データ制御用の４バイト目が「２」である（Ｓ２２１）ならば、印刷要求データの読み込みが完了した旨のメッセージの「印刷要求を受け付けました」の画面表示を行う。
【００５５】
第２実施例では、印刷要求データの分割処理や連結処理を実施する事により、印刷要求データの大きさに縛られずに印刷処理を実施する事ができる。例えば、ＮＴＴドコモ株式会社のおさいふケータイ（登録商標）の「フリー領域」のような小さな記憶領域しか使用できない場合などに有効である。
【００５６】
なお、第２実施例では、前方部の４バイトをデータ制御用として後方部の６０バイトをデータ格納用とする代わりに例えば、前方部の６０バイトをデータ格納用として後方部の４バイトをデータ制御用とする事もできる。第２実施例では、データ制御用の記憶領域とデータ格納用の記憶領域のデータ領域構成として、任意のデータ領域構成を採用する事ができる。
【００５７】
また、第２実施例では、データ制御用の記憶領域とデータ格納用の記憶領域を設定するようにする代わりに例えば、データ格納用の領域のみを設定するようにする事もできる。このときには例えば、印刷要求データの最後に印刷要求データの終了を意味するデータを書き込むようにする。
【図面の簡単な説明】
【００５８】
【図１】第１実施例に係る印刷システムを表す。
【図２】第１実施例に係る印刷システムで実行される印刷処理のシーケンス図である。
【図３】文書選択画面の画面図である。
【図４】印刷対象となる文書のＵＲＬの提供方法について説明するための図である。
【図５】印刷要求データの読み込みが完了した旨のメッセージの画面表示を表す。
【図６】印刷条件の設定画面の画面図である。
【図７】携帯電話端末をプリンタに近付ける旨のメッセージの画面表示を表す。
【図８】携帯電話端末に係る機能ブロック図である。
【図９】プリンタに係る機能ブロック図である。
【図１０】第２実施例に係る印刷システムを表す。
【図１１】ＲＦＩＤチップの利用方法について解説するための図である。
【図１２】携帯電話端末による分割処理に係るフロー図である。
【図１３】プリンタによる連結処理に係るフロー図である。
【符号の説明】
【００５９】
１０１  印刷システム
１１１  携帯電話端末
１１２  プリンタ
１１３  Ｗｅｂサーバ
１２１  ネットワーク
１３１  ＲＦＩＤチップ
１３２  ＲＦＩＤリーダライタ
１４１  オペレーティングシステム
１４２  アプリケーション
１４３  オペレーティングシステム
１４４  アプリケーション
１４５  オペレーティングシステム
１４６  アプリケーション
２０１  印刷要求生成部
２０２  印刷要求書込部
２０３  監視部
２０４  表示部
３０１  情報読込部
３０２  情報書込部
３０３  解析部
３０４  印刷部
【図１】
2006318220.tif 000003
【図２】
2006318220.tif 000004
【図３】
2006318220.tif 000005
【図４】
2006318220.tif 000006
【図５】
2006318220.tif 000007
【図６】
2006318220.tif 000008
【図７】
2006318220.tif 000009
【図８】
2006318220.tif 000010
【図９】
2006318220.tif 000011
【図１０】
2006318220.tif 000012
【図１１】
2006318220.tif 000013
【図１２】
2006318220.tif 000014
【図１３】
2006318220.tif 000015